【手続補正書】
【提出日】平成18年9月19日(2006.9.19)
【手続補正１】
【補正対象書類名】明細書
【補正対象項目名】全文
【補正方法】変更
【補正の内容】
【書類名】              明細書
【発明の名称】    燻煙剤用点火具
【特許請求の範囲】
【請求項１】
板状のパルプ材に、（Ａ）硝酸ナトリウム、硝酸カリウムから選ばれる一種以上の硝酸アルカリ金属塩と、（Ｂ）硝酸カルシウム・４水和物、硝酸マグネシウム・６水和物、硝酸アルミニウム・９水和物、硝酸亜鉛・２、４、６、９水和物、硝酸鉄・６、９水和物、硝酸銅・３、６水和物、硝酸ニッケル・６水和物から選ばれる一種以上の硝酸金属塩水和物を含有せしめてなることを特徴とする燻煙剤用点火具。
【請求項２】
前記（Ａ）硝酸アルカリ金属塩と前記（Ｂ）硝酸金属塩水和物が、１００：（５〜３０）（重量比）であることを特徴とする請求項１記載の燻煙剤用点火具。
【請求項３】
前記（Ａ）硝酸アルカリ金属塩類と前記（Ｂ）硝酸金属塩水和物が、合計で前記板状のパルプ材に対し８０〜２００重量％の含浸率であることを特徴とする請求項１記載の燻煙剤用点火具。
【請求項４】
前記板状のパルプ材が、厚紙、ダンボール、圧縮パルプ、フェルト、不織布から選ばれる一種以上であることを特徴とする請求項１記載の燻煙剤用点火具。
【発明の詳細な説明】
【０００１】
【発明の属する技術分野】
本発明は燻煙（くんえん）剤用点火具に関し、燻煙剤に点火する際に、燻煙剤にマッチ等にて直接に点火するのではなく、予め燻煙剤の収納容器内に燻煙剤と接して設置された点火具の点火部に点火し、その着火点を燻煙剤の方向に移動させて燻煙剤に着火させ、安全かつ確実に燻煙を開始させるための燻煙剤用点火具に関する。
【０００２】
【従来の技術】
従来、ハウス栽培等において病害虫の駆除や殺菌剤の散布を行う簡便かつ省力的な手段として燻煙剤による燻煙が広く行われている。燻煙剤の有効成分により、殺虫や殺菌等を行うものである。
【０００３】
前記燻煙剤への点火は、マッチ等で直接に点火すると、燻煙剤に着火して燃え上がる場合があり、火災の危険があるばかりでなく、折角発煙させた燻煙剤の有効成分が燃焼して燻煙効果を発揮しなくなることから、燻煙剤への着火に際して、焔が出ないようにした点火具が求められている。この点に関する従来の点火具としては、紙等のパルプ材やフェルト、撚糸等に塩素酸アルカリ金属塩やニトロセルロースを含浸させた点火具あるいは無機系燃焼剤を板状に成形した点火具が用いられている。
【０００４】
【発明が解決しようとする課題】
しかしながら、これら従来の点火具は、自然発火や爆発的反応による発焔並びに点火後の発焔の虞があり、さらに毒性の問題等があり、燻煙への着火の危険があるほか、その取り扱いが難しいという欠点があった。本発明は、これらの問題点に鑑みて創案されたものであり、自然発火や毒性の虞がなく、取り扱いが容易であって、発煙後に燻煙に着火して燃焼することのない安全かつ確実な燻煙剤の点火具を提供することを目的としている。
【０００５】
【課題を解決するための手段】
本発明は前記目的を達成するために、本発明の燻煙剤用点火具（以降、単に「点火具」と記す。）は、板状のパルプ材に、（Ａ）硝酸ナトリウム、硝酸カリウムから選ばれる一種以上の硝酸アルカリ金属塩と、（Ｂ）硝酸カルシウム・４水和物、硝酸マグネシウム・６水和物、硝酸アルミニウム・９水和物、硝酸亜鉛・２、４、６、９水和物、硝酸鉄・６、９水和物、硝酸銅・３、６水和物、硝酸ニッケル・６水和物から選ばれる一種以上の硝酸金属塩水和物を含有せしめてなっている。ここで、（Ａ）硝酸アルカリ金属塩と（Ｂ）硝酸金属塩水和物が、１００：（５〜３０）（重量比）とし、（Ａ）硝酸アルカリ金属塩類と（Ｂ）硝酸金属塩水和物が、合計で前記板状のパルプ材に対し８０〜２００重量％の含浸率とすることが好ましい。また、板状のパルプ材は、厚紙、ダンボール、圧縮パルプ、フェルト、不織布から選ばれる一種以上であることが好ましい。
【０００６】
【発明の実施の形態】
本発明の一実施の形態を図面を参照して説明する。図１（ａ）は本発明に係る点火具１の平面外観図であり、（ｂ）は、点火具１を、同じ向きに平行して連結し成形したものであり、（ｃ）は、点火具１を、交互の向きに４体連結し成形したものである。図１（ｂ），（ｃ）に示す点火具１の連結体は、１体ずつ切り離して使用する。
【０００７】
図２は、点火具１と、この点火具１が取り付けられて燻煙剤２が収納された状態の燻煙剤のつり具を付した収納容器３の外観斜視図であり、図３は、収納容器３に点火具１が取り付けられて燻煙剤２が収納された状態であり、マッチ等の点火用具を用いて点火具１に点火する状態を示す外観斜視図である。なお、図２においては、燻煙剤２が収納された収納容器３の片側外部に点火具１の点火部が突出して描画されているが、これは点火具１の点火時における使用方法を示す概念図である。
【０００８】
収納容器３は、燻煙剤２を載置する略方形の前記底板としての載置部４と、側壁部５ａ，５ｂ，５ｃ，５ｄ，５ｅと、フック部６と、一対の点火具挿入口７（図２等参照），８とから構成される。収納容器３は、例えばアルミニウムやブリキ材等の薄い板状の金属部材を打ち抜きまたは切断し、所定部位を折り曲げて形成したものであり、図４は折り曲げ前の展開図である。
この実施の形態では、燻煙剤２は中心部に孔を有する丸いドーナツ状である。
【０００９】
点火具１は、着火部１ａ、導火部１ｂ、点火部１ｃとからなる構造である。着火部１ａは、燻煙剤２の底部と収納容器３底板との間に幅広に接する形状で、安定的に保持されて燻煙剤２の着火を確実なものとする。導火部１ｂは、着火部１ａに直交するように取り付けられた細長い形状で、点火部１ｃにおける着火点を着火部１ａに順次速やかに移動させる。点火部１ｃは、収納容器３の側面外側に突出するする形状で、マッチ等で点火が行われる。
【００１０】
図３に示すように点火部１ｃにマッチ等で点火すると、着火点が導火部１ｂを速やかに伝播して着火部１ａに至り、燻煙剤２の底部を加熱して燻煙剤本体に着火する。この着火により、燻煙剤２は、燻煙を発しながら着火部が順次拡大してゆく。この際、燻煙は上昇気流に乗って激しく上昇し、この際に、点火具１の点火部１ｃ、導火部１ｂはもちろん、着火部１ａも速やかに消燼する。このようにして、点火具１においては、燻煙剤２への着火時おける燻煙への着焔や燃焼等の事故が完全に防止されている。そして、点火具１は、燻煙剤を着火させた後は、燻煙剤から激しく発煙する前に点火具１全体が消燼する組成及び構造としている。
【００１１】
点火具１は、板状のパルプ材を（Ａ）硝酸アルカリ金属塩と（Ｂ）硝酸金属塩水和物が水溶液にするなどにして含浸される。（Ａ）硝酸アルカリ金属塩は、硝酸ナトリウム、硝酸カリウムから選ばれる一種以上であり、（Ｂ）硝酸金属塩水和物は、硝酸カルシウム・４水和物、硝酸マグネシウム・６水和物、硝酸アルミニウム・９水和物、硝酸亜鉛・２、４、６、９水和物、硝酸鉄・６、９水和物、硝酸銅・３、６水和物、硝酸ニッケル・６水和物から選ばれる一種以上である。
【００１２】
点火具１に含有される（Ａ）硝酸アルカリ金属塩と（Ｂ）硝酸金属塩水和物の割合は、前者１００重量部に対して後者５〜３０重量部が好ましい。この割合は、点火具における着火点の移動速度、特に導火部及び着火部における燃焼時間又はその消燼時間と密接に関係し、本発明の点火具による燻煙剤への安全確実な着火を行わせる為の重要な要件である。（Ａ）硝酸アルカリ金属塩と（Ｂ）硝酸金属塩水和物の含浸率は、８０〜２００％が好ましい。この含浸率は点火具の厚みにより差異を生じ、厚いと含浸率は高くなる傾向にある。尚、本発明における含浸率（％）は、（含浸・乾燥した処理後の点火具重量−処理前の点火具重量）×１００／（処理前の点火具重量）の計算式で算出したものである。含浸・乾燥に係る乾燥条件は、例えば５０℃〜９０℃の温風乾燥で数時間、例えば３〜９時間乾燥するとよい。
【００１３】
（Ａ）硝酸アルカリ金属塩と（Ｂ）硝酸金属塩水和物が含浸される板状のパルプ材は、含浸前の厚さが０．５ｍｍ〜３．０ｍｍであることが好ましく、薄いと着火熱量が不足し、厚いと炎が出易くなる傾向にある。その大きさは燻煙剤の底部に成るべく広く接し、かつ収納容器から大きくはみ出さない程度が良い。素材は、厚紙、ダンボール等の紙類、圧縮パルプ、フェルト、不織布等のパルプ材及びパルプ系の板状体が選ばれる。
【００１４】
〔実施例１〕
硝酸カリウム１００重量部と硝酸マグネシウム・６水和物２０重量部を秤取し、水１８０重量部を加えて、加熱溶解した。その中に、３枚が連なった１ｍｍ厚の圧縮パルプ材を約３分間浸し、これらの硝酸塩類を含浸せしめた。次いで、温風乾燥機で乾燥して燻煙剤用点火具を製造した。この点火具の含浸率は１２０％であった。この点火具を使用して、燻煙剤を点火したところ、燻煙剤は正常かつ安全に点火した。
【００１５】
〔比較例〕
実施例１における硝酸マグネシウム・６水和物２０重量部の代わりに硝酸カリウムを使用して、実施例１と同様にして燻煙剤用点火具を製造した。この点火具の含浸率は１１０％であった。この点火具を使用して、燻煙剤を点火したところ、点火具の導火部のところで燃焼剥落して中断を起こし、燻煙剤を着火できなかった。
【００１６】
【発明の効果】
以上説明したように、本発明は、（Ａ）硝酸アルカリ金属塩と（Ｂ）硝酸金属塩水和物を水溶液などの溶液として、少なくとも点火部と、燻煙剤に着火するための着火部とを有するように形成した板状のパルプ材に含浸・乾燥して、含有せしめた燻煙剤用点火具であり、自然発火や毒性の虞がなく、取り扱いが容易であり、安全な燻煙剤用点火具とすることができる。また、本発明に係る点火具は、幅広の着火部上に燻煙剤を乗せるようにし、導火部を経て燻煙剤の底部に伝播着火させて発煙するようにしたことから、燻煙剤に着火して発煙が盛んになる時点では、点火具は、略消燼の状態となっており、燻煙剤から発煙する燻煙に着火して燃え上がる危険がなく、燻煙剤の有効成分を確実に発煙させることができる。
【図面の簡単な説明】
【図１】  （ａ）は本発明に係る燻煙剤用の点火具１の平面外観図であり、（ｂ）は、３体の点火具１をその向きを同一方向にして平行に連結して成形した図であり、（ｃ）は、点火具１をその向きを交互に４体連結して成形した図である。
【図２】  点火具１と、燻煙剤２が収納された収納容器３を説明するための外観斜視図である。
【図３】  燻煙を行うために点火具１の点火部１ｃに点火する状態を説明する図である。
【図４】  薄い金属部材を打ち抜きまたは切断し、折り曲げて形成される収納容器３の折り曲げ前の展開図である。
【符号の説明】
１  燻煙剤用点火具
１ａ  着火部
１ｂ  導火部
１ｃ  点火部
２  燻煙剤
３  燻煙剤の収納容器
４  載置部
５ａ〜５ｅ  側壁部
６  フック部
７  点火口
８  点火口
９  凸部
１０  凹部
１１  切り目